(57)【要約】【課題】簡易な構成により容易に灯体による照射方向の固定・解除を行うことのできる照明器具を提供する。【解決手段】灯体２２とアーム２３との間、又はアーム２３と支持部との間を回動可能に支持する回動部３０に、楔状部材４６を押し込んで、摩擦力により回動をロックするようにしたので、簡易な構成により容易に灯体２２による照射方向の固定・解除を行うことができる。また、ネジで締め付けて固定する場合のように経時的に緩むことがないので、長時間の固定も可能となる。【選択図】図２
2009257559.tif 000002
【特許請求の範囲】
【請求項１】
光源を有する灯体と、前記灯体を支持するとともに支持部に支持されるアームとを有し、
前記灯体と前記アームとの間、又は前記アームと前記支持部との間を回動可能に支持する回動部を有する照明器具であって、
前記回動部に、楔状部材を挿嵌することにより回動を固定するロック部を設けたことを特徴とする照明器具。
【請求項２】
前記回動部に適度な回動摩擦力を発生させる弾性部を設け、前記回動部に前記ロック部の前記楔状部材を挿嵌することにより前記弾性部の弾性変形量を増大させて回動摩擦力を増大させることを特徴とする請求項１記載の照明器具。
【請求項３】
前記ロック部の摩擦係数を前記回動部における前記弾性部の表面の摩擦係数より大きくしたことを特徴とする請求項1または２記載の照明器具。
【請求項４】
前記ロック部を前記灯体の内部に設け、前記灯体の内部において前記回動部への前記ロック部の挿入が行われることを特徴とする請求項1ないし請求項３のいずれかに記載の照
明器具。
【請求項５】
前記ロック部を前記灯体の外部に設け、前記灯体の外部において前記回動部への前記ロック部の挿入が行われることを特徴とする請求項1ないし請求項３のいずれかに記載の照
明器具。
【請求項６】
光源を有する灯体と、前記灯体を支持するとともに支持部に支持されるアームとを有し、
前記灯体と前記アームとの間、又は前記アームと前記支持部との間を回動可能に支持する回動部を有する照明器具であって、
前記回動部に回動可能なロック部材および弾性部材を設け、前記ロック部材を動かすことにより前記回動部におけるロック部の回動軸方向の厚みが変化し、その厚みの変化で弾性部材の弾性変形量を変化させることを特徴とする照明器具。
【請求項７】
前記ロック部材が、前記回動部と同軸で回動させるための操作部を有することを特徴とする請求項６記載の照明器具。
【請求項８】
前記ロック部の一部に凹凸部を設け、前記ロック部における厚みが変化することを特徴とする請求項６または７記載の照明器具。
【請求項９】
前記ロック部材が回動して、ロック時は前記操作部が前記アームに収納されることを特徴とする請求項６ないし請求項８のいずれかに記載の照明器具。
【請求項１０】
前記ロック部材を前記回動軸に対して垂直に設け、前記ロック部材が直線的に移動することを特徴とする請求項６記載の照明器具。
【発明の詳細な説明】
【技術分野】
【０００１】
本発明は、灯体を回動させて照射方向を変えることができる照明器具に関するものである。
【背景技術】
【０００２】
従来より、アームに支持された灯体の向きを変えることにより、照射方向を変えることができる照明器具が提案されている（例えば特許文献１参照）。
図２３に示すように、特許文献１に記載の照明器具１００では、天井等の被取付部に取付けられるダクトレール（図示省略）にプラグ１０１を介して、被取付部に支持されるアーム部材１０２を有している。アーム部材１０２の先端（下端）には、光源を有する灯体１０３が、回動部１０４によって上下方向へ回動可能に取付けられている。そして、灯体１０３を所望の角度で固定する際には、ネジ部材１０５を締め付けることにより、灯体１０３が移動しないように固定している。
【特許文献１】実開平５−３８７０２号公報（第１図）
【発明の開示】
【発明が解決しようとする課題】
【０００３】
しかしながら、前述した照明器具１００においては、灯体１０３を所望の角度で固定する際にはネジ部材１０５を締め付け、また、灯体１０３を所望の角度へ回動させる際にはネジ部材１０５を弛めなければならず、面倒であるという問題があった。
【０００４】
本発明は、従来の問題を解決するためになされたもので、簡易な構成により容易に灯体による照射方向の固定・解除を行うことのできる照明器具を提供することを目的とする。
【課題を解決するための手段】
【０００５】
本発明の照明器具は、光源を有する灯体と、前記灯体を支持するとともに支持部に支持されるアームとを有し、前記灯体と前記アームとの間、又は前記アームと前記支持部との間を回動可能に支持する回動部を有する照明器具であって、前記回動部に、楔状部材を挿嵌することにより回動を固定するロック部を設けた構成を有している。
【０００６】
この構成により、灯体とアームとの間、又はアームと支持部との間を回動可能に支持する回動部に、楔状部材を押し込んで、摩擦力により回動をロックするようにしたので、簡易な構成により容易に灯体による照射方向の固定・解除を行うことができる。また、ネジで締め付けて固定する場合のように経時的に緩むことがないので、長時間の固定も可能となる。
【０００７】
また、本発明の照明器具は、前記回動部に適度な回動摩擦力を発生させる弾性部を設け、前記回動部に前記ロック部の前記楔状部材を挿嵌することにより前記弾性部の弾性変形量を増大させて回動摩擦力を増大させる構成を有している。
【０００８】
この構成により、灯体とアームとの間、又はアームと支持部との間を回動可能に支持する回動部に、適度な回動摩擦力を発生させる弾性部を設けたので、回動摩擦力に抗して灯体を回動させることができるとともに、所望の回動角度位置で手を離しても灯体が自重で落下するのを防止することができる。
【０００９】
また、本発明の照明器具は、前記ロック部の摩擦係数を前記回動部における前記弾性部の表面の摩擦係数より大きくした構成を有している。
【００１０】
この構成により、ロック部の摩擦係数を大きくすることにより、ロック部による回動部の固定を確実にロックすることができる。
【００１１】
また、本発明の照明器具は、前記ロック部を前記灯体の内部に設け、前記灯体の内部において前記回動部への前記ロック部の挿入が行われる構成を有している。
【００１２】
この構成により、ロック部を灯体の内部に設けることにより、外部からロック部が見えないので、外観を損なうのを防止することができる。
【００１３】
また、本発明の照明器具は、前記ロック部を前記灯体の外部に設け、前記灯体の外部において前記回動部への前記ロック部の挿入が行われる構成を有している。
【００１４】
この構成により、ロック部を灯体の外部に設けることにより、構造を簡易とすることができるとともに、操作性を向上させることができる。
【００１５】
また、本発明の照明器具は、光源を有する灯体と、前記灯体を支持するとともに支持部に支持されるアームとを有し、前記灯体と前記アームとの間、又は前記アームと前記支持部との間を回動可能に支持する回動部を有する照明器具であって、前記回動部に回動可能なロック部材および弾性部材を設け、前記ロック部材を動かすことにより前記回動部におけるロック部の回動軸方向の厚みが変化し、その厚みの変化で弾性部材の弾性変形量を変化させる構成を有している。
【００１６】
この構成により、灯体とアームとの間、又はアームと支持部との間を相対的に回動可能に支持する回動部に、回動方向に沿って回動軸方向の厚さが変化しかつ回動可能なロック部材および弾性部材を設け、ロック部材を相対的に回動させることによりロック部における回動軸方向の厚さを変化させて弾性部材の弾性変形量を変化させ、回動部をロックする。これにより、簡易な構成により容易に灯体による照射方向の固定・解除を行うことができる。また、ネジで締め付けて固定する場合のように経時的に緩むことがないので、長時間の固定も可能となり、さらに振動による照射方向の変化を防止することができる。また、ロック部材の厚みを調整することにより、ロック時における回動部の硬さを調整することができ、ロックしていないときにも適度な操作力を与えることができる。
【００１７】
また、本発明の照明器具は、前記ロック部材が、前記回動部と同軸で回動させるための操作部を有する構成を有している。
【００１８】
この構成により、ロック部材を操作部により回動させるため、ロック時に操作部の長さを利用して大きなモーメントを与えることができる。
【００１９】
また、本発明の照明器具は、前記ロック部の一部に凹凸部を設け、前記ロック部における厚みが変化する構成を有している。
【００２０】
この構成により、ロック部に凹凸部を設けて、凹凸部をかみ合わせることによりロック時にクリック感が生じ、ロックの有無がわかりやすくなる。
【００２１】
また、本発明の照明器具は、前記ロック部材が回動して、ロック時は前記ロック部材の操作部が前記アームに収納される構成を有している。
【００２２】
この構成により、ロック時にはロック部材の操作部がアームに収納されるので、外観を向上させるとともに、誤操作を防止することができる。また、ロックしていないときには
、操作部を操作して照射方向を調整することができる。
【００２３】
さらに、本発明の照明器具は、前記ロック部材を前記回動軸に対して垂直に設け、前記ロック部材が直線的に移動する構成を有している。
【００２４】
この構成により、ロック部材が回動部付近を直線移動するため、ロック部材の操作が照射方向に影響を与えにくい。また、ロックしていないときも、ロック部材の厚さが薄い部分がロック部に位置するため、ロック時にロック部材を移動させる際に、意図しない箇所にロック部材が挿入されるのを防止することができる。
【発明の効果】
【００２５】
本発明は、灯体とアームとの間、又はアームと支持部との間を回動可能に支持する回動部に、楔状部材を押し込んで、摩擦力により回動をロックするようにしたので、簡易な構成により容易に灯体による照射方向の固定・解除を行うことができる。また、ネジで締め付けて固定する場合のように経時的に緩むことがないので、長時間の固定も可能となるという効果を有する照明器具を提供することができるものである。
【発明を実施するための最良の形態】
【００２６】
以下、本発明の実施の形態の照明器具について、図面を用いて説明する。
図１（Ａ）は本発明の第１実施形態にかかる照明器具を前方から見た斜視図、図１（Ｂ）は同じく後方から見た斜視図、図２は回動部及びロック部を示す斜視図、図３（Ａ）は支持金具の斜視図、図３（Ｂ）はロック部の斜視図、図４（Ａ）は非ロック時のロック部の正面図及び拡大図、図４（Ｂ）はロック時のロック部の正面図及び拡大図、図５（Ａ）は灯体を鉛直真下に向けて固定した状態を示す側面図、図５（Ｂ）は灯体を水平方向に向けて固定した状態を示す側面図である。
【００２７】
図１に示すように、本発明の第１実施形態にかかる照明器具１０は、光源であるランプ２１を有する灯体２２と、灯体２２を支持するアーム２３とを有し、アーム２３の先端部（ここでは下端部）と灯体２２とを回動可能に連結する回動部３０を有している。さらに、回動部３０には、回動を固定するロック部４０が設けられている。
【００２８】
なお、アーム２３の上端には、例えば天井１１等に取付けられるライティングレール（図示省略）に沿って移動可能かつライティングレールから電力を供給される支持部としてのライティングプラグ２４が取付けられている。アーム２３は、ライティングプラグ２４に対して、アーム２３の軸回りに回動可能に支持されている。
【００２９】
図２に示すように、アーム２３の下端部はＬ字状に屈曲して屈曲部２３ａが設けられており、屈曲部２３ａを貫通して回動軸であるネジ３２が設けられている。これにより、アーム２３はネジ３２を回動中心として、図中矢印Ａ方向へ回動できるようになっている。
【００３０】
図２および図３（Ａ）に示すように、回動部３０には支持金具３３が設けられており、灯体２２に固定されている。支持金具３３は、灯体２２に固定される固定板３３ａと、この固定板３３ａにスリットを入れて切起こした一対の対向した軸受部３３ｂを有している。回動軸であるネジ３２は、一対の軸受部３３ｂ、３３ｂを貫通して締結することにより、アーム２３の屈曲部２３ａと灯体２２とを回動可能に連結している（図２参照）。また、一対の軸受部３３ｂ、３３ｂの内部には、例えば矩形状に切起して互いに接近する方向へ折り曲げられた弾性部３３ｃが設けられており、弾性部３３ｃの中央部には、ネジ３２が貫通する貫通穴３３ｄが各々設けられている。なお、弾性部３３ｃはバネ状に形成されており、アーム２３の屈曲部２３ａを挟む方向（図３（Ａ）中矢印方向）へ弾性力を付与している。
【００３１】
図２および図３（Ｂ）に示すように、回動部３０にはロック部４０を構成するロック部材４１が設けられている。ロック部材４１は、中央に開口４２を有する矩形状の枠体４１を有しており、枠体４１において移動方向と直交する方向の一辺４３ａから開口４２に突出して一対の楔状部材４６，４６が設けられている。楔状部材４６には、回動軸であるネジ４２が挿入可能な切欠き４６ａが設けられており、切欠き４６ａの上下部分の先端は先細りするように尖って楔部４６ｂが形成されている。なお、楔状部材４６の摩擦係数を回動部３０における弾性部３３ｃの摩擦係数より大きくするのが望ましい。これにより、ロック部４０による回動部３０の固定を確実にロックすることができる。
【００３２】
また、枠体４１において楔状部材４６が設けられている一辺４３ａの外側には、回動ロック時に押圧してスライドさせるための操作部４４が設けられている。一方、楔状部材４６が設けられている一辺４３ａと対向する他辺４３ｂの外側には、回動ロックを解除するために押圧する操作部４５が突出して設けられている。
【００３３】
なお、操作部４４，４５は、灯体２２の側面に設けられている開口部２２ａ、２２ｂから、少なくとも一方が灯体２２の外側へ突出している（図１参照）。すなわち、ロック時にはロックを解除するための操作部４５が外部に突出し、非ロック時にはロックするための操作部４４が外部に突出している。
【００３４】
図２に示すように、回動部３０において支持金具３３の上からロック部材４１を被せて、支持金具３３の軸受部３３ｂ、３３ｂが、ロック部材４１の開口４２内部に位置するようにする。このとき、ロック部材４１の楔状部材４６の楔部４６ｂが、支持金具３３の軸受部３３ｂとアーム２３の屈曲部２３ａとの間に挿入可能となるように配置する。なお、軸受部３３ｂに設けられている弾性部３３ｃが軸受部３３ｂと連続している側（すなわち、開口していない側）を楔状部材４６側に向けて、楔状部材４６が弾性部３３ｃとアーム２３の屈曲部２３ａとの間に挿入されるようにする。
【００３５】
従って、アーム２３に対して灯体２２を所望の角度で回動させる際には、ロック部４０の操作部４５を押してロック部材４１を図２中矢印Ｂで示す方向へ移動させる。これにより、図４（Ａ）に示すように、アーム２３の屈曲部２３ａと軸受部３３ｂとの間で、弾性部３３ｃが弾性力により屈曲部２３ａを押圧する。これにより、灯体２２が自重によって首振らない程度の回動摩擦力を発生することができる。
【００３６】
一方、アーム２３に対して灯体２２を所望の角度で固定させる際には、ロック部４０の操作部４４を押してロック部材４１を図２中矢印Ａで示す方向へ移動させる。これにより、図４（Ｂ）に示すように、アーム２３の屈曲部２３ａと軸受部３３ｂとの間に楔状部材４６が押し込まれるので、屈曲部２３ａと軸受部３３ｂとの間に大きな回動摩擦力が発生し、灯体２２はアーム２３に回動固定される。
【００３７】
なお、アーム２３に対する灯体２２の回動範囲は、図５（Ａ）に示すように、鉛直真下方向に照射する回動角度から、図５（Ｂ）に示すように、水平方向へ照射する９０度まで、回動及び固定が可能となっている。
【００３８】
以上、説明した本発明の第１実施形態にかかる照明器具１０によれば、灯体２２とアーム２３との間に、楔状部材４６を押し込んで、摩擦力により回動をロックするようにしたので、簡易な構成により容易に灯体２２による照射方向の固定・解除を行うことができる。また、ネジで締め付けて固定する場合のように経時的に緩むことがないので、長時間の固定も可能となる。
【００３９】
また、灯体２２とアーム２３との間を回動可能に支持する回動部３０に、適度な回動摩擦力を発生させる弾性部３３ｃを設けたので、回動摩擦力に抗して灯体を回動させることができるとともに、所望の回動角度位置で手を離しても灯体２２が自重で落下するのを防止することができる。
【００４０】
また、ロック部４０を灯体２２の内部に設けたので、外部からロック部が見えないようにすることができ、外観を損なうのを防止することができる。
【００４１】
次に、本発明の第２実施形態の照明器具を図に基づいて説明する。
図６（Ａ）は第２実施形態にかかる照明器具における非ロック時の回動部を示す斜視図、図６（Ｂ）は同じくロック時の回動部を示す斜視図である。なお、前述した第１実施形態と共通する部位には同じ符号を付して、重複する説明を省略することとする。
【００４２】
図６に示すように、第２実施形態にかかる照明器具１０Ｂでは、アーム２３に対する灯体２２の回動をロックするロック部４０Ｂを、灯体２２の外部に設けた。このロック部４０Ｂでは、アーム２３に回動可能に取付けられた操作レバー４７を有しており、操作レバー４７には楔状部材４８が取付けられている。一方、灯体２２には、回動部３０Ｂとして軸受を兼ねた弾性部４９が設けられており、この弾性部４９とアーム２３の下端部とが、ネジ４９ａによって回動可能に取付けられている。
【００４３】
従って、灯体２２を回動させる非ロック時には、図６（Ａ）に示すように、操作レバー４７を開放する。なお、このとき、弾性部４９の弾性力によりある程度の回動摩擦力を生じるようにしておく。一方、灯体２２の回動を固定する際には、図６（Ｂ）に示すように、操作レバー４７を矢印Ａ方向へ回動させ、操作レバー４７に取付けられている楔状部材４８の先端を、アーム２３と弾性部４９との間に押し込む。これにより、大きな回動摩擦を発生させて、灯体２２を固定する。
【００４４】
このように構成しても、前述した第１実施形態と同様の作用・効果を得ることができる。また、ロック部４０Ｂを灯体２２の外部に設けることにより、構成がより簡易となる。
【００４５】
次に、本発明の第３実施形態の照明器具を図に基づいて説明する。
図７は第３実施形態にかかる照明器具を示す斜視図、図８（Ａ）はロック状態を示す斜視図、図８（Ｂ）はロック解除状態を示す斜視図、図９はアームの先端部とロックレバーの形状を示す斜視図および正面図、図１０は支持金具の正面図および斜視図、図１１はロック解除状態のロック部を示す分解斜視図および正面図、図１２はロック状態のロック部を示す分解斜視図および正面図である。なお、前述した第１又は第２実施形態と共通する部位には同じ符号を付して、重複する説明を省略することとする。
【００４６】
図７に示すように、本発明の第３実施形態にかかる照明器具１０Ｃでは、灯体２２に取付けられている回動部３０Ｃに、軸受を兼ねた全体コ字状の支持金具５１が設けられている。支持金具５１の内部には、アーム２３およびロック部４０Ｃを構成するロックレバー５２が、ネジ５１ｂによって回動可能に取付けられている。
【００４７】
図１０に示すように、支持金具５１は、灯体２２に取付けられるベース５１ｃと、ベース５１ｃの両端を折り曲げて形成した対向する一対の弾性部材としての支持板５１ａとを有している。支持板５１ａの先端部にはネジ孔５１ｄが設けられており、このネジ孔５１ｄにはアーム２３の下端部がネジ５２によって回動可能に取付けられている。なお、一対の支持板５１ａは、先端部が互いに接近する方向へ傾斜している。
【００４８】
図９に示すように、ロック部４０Ｃでは、アーム２３の下端部に、アーム２３の軸線と
直交する方向に軸を有する円柱状の回動軸部２５が設けられており、中心にはネジ孔２５ａが設けられている。回動軸部２５の両端面には、中央に段差２５ｂが設けられて、先端側に板厚が薄い低部２５ｃ、基端側（図９において上側）には板厚が厚い高部２５ｄが形成されている。
【００４９】
図９に示すように、ロックレバー５２は、平板状の底板５２ａの左右両端部から一対の壁板５２ｂが折曲形成されて断面コ字状をしており、先端部には半円状の半円部５３ｂが突出した回動板５３が設けられている。半円部５３ｂの中心に相当する位置には、ネジ孔５３ｅが設けられている。壁板５２ｂの先端（図９において上端）には、先端に向かって尖るように外側へ傾斜したテーパ５２ｃが設けられており、回動板５３にも延長してテーパ５３ａが形成されている。従って、回動板５３においてテーパ５３ａから突出している半円部５３ｂの板厚は、壁板５３ｃの板厚よりも薄くなっている。なお、ロックレバー５２の長さは任意であり、操作部としてロック時およびロック解除時に大きなモーメントを与えることができ操作しやすい長さに設定されている。
【００５０】
図８（Ｂ）および図１１に示すように、支持金具５１の内部に組み付けられたアーム２３とロックレバー５２とが直交するロック解除状態では、アーム２３の回動軸部２５の段差２５ｂと、ロックレバー５２の回動板５３のテーパ５３ａが同一直線上に位置する。このため、アーム２３の回動軸部２５において板厚が小さな低部２５ｃと、ロックレバー５２の回動板５３において板厚が厚い壁板５３ｃとが対向するとともに、板厚が大きな高部２５ｄと板厚が薄い半円部５３ｂとが対向することになる。
【００５１】
従って、ロックレバー５２における回動板５３の厚み（間隔）Ａは、ほぼ、支持金具５１の両支持板５１ａの間隔となり、支持金具５１の外側への弾性変形は微小であるため、支持金具５１とロックレバー５２との間の摩擦力は小さい。このため、灯体２２を容易に上下方向へ回動させて照射方向を変えることができる。なお、灯体２２を上下方向に回動させた所望の角度で、灯体２２を仮に保持することができる程度の摩擦力が発生するように、支持金具５１の支持板５１ａの傾きを設定するのが望ましい。
【００５２】
このようなロック解除状態では、ロックレバー５２は、アーム２３の回動軸部２５と支持金具５１の支持板５１ａとの間に強く挟まれた状態ではないが、テーパ５３ａと段差２５ｂによって、アーム２３に対して略直交した状態を保持している。図８（Ｂ）に示すように、この状態では、ロックレバー５２は水平方向の旋回軸であるアーム２３に対して略直交しているので、ロックレバー５２を図中矢印方向へ操作することにより、灯体２２を容易に水平方向へ旋回させることができる。
【００５３】
一方、図８（Ａ）および図１２に示すように、支持金具５１の内部に組み付けられたアーム２３とロックレバー５２とが略一致する方向にあるロック状態では、アーム２３の回動軸部２５の段差２５ｂと、ロックレバー５２の回動板５３のテーパ５３ａが略直交する位置する。このため、回動軸部２５の板厚が大きな高部２５ｄの一部と、回動板５３において板厚が厚い壁板５３ｃの一部とが対向することになり、ロックレバー５２における回動板５３の厚みＢは、ロック解除状態における厚みＡよりも大きくなる。
【００５４】
すなわち、アーム２３とロックレバー５２の厚みＢが増すことにより支持金具５１の支持板５１ａは外側に弾性変形されるので、支持板５１ａの復帰力により、ロックレバー５２はアーム２３の回動軸部２５と支持金具５１の支持板５１ａとの間に強く挟まれる。このため、大きな摩擦力が発生し、回動が阻止されたロック状態となる。このとき、ロックレバー５２は断面コ字状をしているので、アーム２３の外側に収納されることになり、外観を向上させるとともに、誤操作を防止することができる。
【００５５】
以上、説明した第３実施形態にかかる照明器具１０Ｃによれば、灯体２２とアーム２３との間を相対的に回動可能に支持する回動部３０Ｃに、回動方向に沿って回動軸方向の厚さが変化しかつ回動可能なロックレバー５２および支持金具５１を設け、ロックレバー５２を相対的に回動させることによりロック部４０Ｃにおける回動軸方向の厚さを変化させて支持金具５１の弾性変形量を変化させ、回動部３０Ｃをロックする。これにより、簡易な構成により容易に灯体２２による照射方向の固定・解除を行うことができる。また、ネジで締め付けて固定する場合のように経時的に緩むことがないので、長時間の固定も可能となり、さらに振動による照射方向の変化を防止することができる。また、ロックレバー５２の厚みを調整することにより、ロック時における回動部３０Ｃの硬さを調整することができ、ロックしていないときにも適度な操作力を与えることができる。
【００５６】
なお、図１３に示すように、ロック解除状態のときに対向する面に、互いに嵌合する凹凸部を設けるのが望ましい。例えば、アーム２３の回動軸部２５の高部２５ｄに凸部２５ｅを設け、ロックレバー５２の回動板５３の半円部５３ｂに凹部５３ｄを設けることができる。これにより、ロック解除時にクリック感が生じ、ロックの有無がわかりやすくなる。また、凸部２５ｅと凹部５３ｄとが嵌合していない状態では、凸部２５ｅが板厚の厚い壁板５３ｃに当接するので回動板５３の厚さが大きくなり、摩擦力が増してロック状態となる。なお、回動軸部２５に凹部を設け、ロックレバー５２に凸部を設けることもできる。
【００５７】
次に、本発明の第４実施形態の照明器具を図に基づいて説明する。
図１４は第４実施形態にかかる照明器具が下方を照射している状態を示す斜視図、図１５は回動部およびロック部を示す斜視図、図１６（Ａ）はロック解除状態の回動部およびロック部を示す斜視図、図１６（Ｂ）はロック状態の回動部およびロック部を示す斜視図、図１７は支持金具の斜視図および正面図、図１８はアームおよびロック部材の斜視図、図１９（Ａ）はロック解除状態を示す平面図および要部拡大図、図１９（Ｂ）はロック状態を示す平面図および要部拡大図、図２０（Ａ）はロック動作を示す斜視図、図２０（Ｂ）はロック解除動作を示す斜視図、２１（Ａ）はロック解除状態におけるロック部材の厚さを示す正面図、２１（Ｂ）はロック状態におけるロック部材の厚さを示す正面図である。なお、前述した第１〜第３実施形態と共通する部位には同じ符号を付して、重複する説明を省略することとする。
【００５８】
図１４および図１５に示すように、本発明の第４実施形態にかかる照明器具１０Ｄでは、回動部３０Ｄおよびロック部４０Ｄにおいて、ロック部材５４を回動軸であるネジ５５（図１８参照）に対して垂直に設け、ロック部材５４が直線的（図中矢印方向）に移動する構成を有している。
【００５９】
図１６（Ａ）および（Ｂ）に示すように、回動部３０Ｄには支持金具５６が設けられており、灯体２２に固定されている。図１７に示すように、支持金具５６は、灯体２２に固定される固定板５６ａと、この固定板５６ａと同一平面にあるベース５６ｂと、ベース５６ｂの左右両側を曲げ上げた一対の対向する軸受部５６ｃ、５６ｃを有している。この軸受部５６ｃは弾性部材により形成されており、先端が互いに接近する方向に傾斜している。軸受部５６ｃにはネジ孔５６ｄが設けられている。
【００６０】
図１８に示すように、アーム２３の先端には屈曲部２３ａが設けられており、屈曲部２３ａにはネジ孔２３ｂが設けられている。従って、図１６に示すように、回動軸であるネジ５５は、一対の軸受部５６ｃを貫通するとともにアーム２３のネジ孔２３ｂを貫通して締結することにより、アーム２３の屈曲部２３ａと灯体２２とを回動可能に連結している。
【００６１】
また、図１８および図１９に示すように、ロック部材５４は、中央に開口５４ａを有する矩形状の枠体５４ｂを有しており、枠体５４ｂの移動方向両端辺には操作部５４ｄ、５４ｅが設けられている。枠体５４ｂにおいて移動方向と直交する方向の一辺５４ｃには、開口５４ａに突出して一対のスライド板５７、５７が設けられている。スライド板５７の移動方向の中央部には移動方向に直交する方向（図１９において紙面直交方向）に横断する傾斜面５７ａが設けられており、傾斜面５７ａよりも一辺５４ｃ側の基端部５７ｂの板厚は、傾斜面５７ａよりも先端側の先端部５７ｃの板厚よりも厚くなっている。スライド板５７には、移動方向に長い長孔５７ｄが設けられており、貫通するネジ５５に沿ってスライド可能となる。
【００６２】
図１９（Ａ）に示すように、ロック解除状態においては、支持金具５６にアーム２３の屈曲部２３ａおよびロック部材５４のスライド板５７を取付ける回動軸であるネジ５５は、アーム２３と支持金具５６の間に介装されているスライド板５７において板厚が薄い先端部５７ｃに位置している。このため、支持金具５６の一対の軸受部５６ｃの間隔Ｃ（図２１（Ａ）参照）は、僅かに拡げられた状態となっており、アーム２３を自由に回動させることができ、かつ、所望の角度でアーム２３を仮に固定することができるようになっている。
【００６３】
一方、図１９（Ｂ）に示すように、ロック状態においては、回動軸であるネジ５５は、スライド板５７において板厚が厚い基端部５７ｂに位置している。このため、支持金具５６の一対の軸受部５６ｃの間隔Ｄ（図２１（Ｂ）参照）は、大きく拡げられて弾性変形した状態となっており、軸受部５６ｃの復帰力により大きな摩擦力が発生し、アーム２３の支持金具５６に対する回動を規制してロックしている。
【００６４】
従って、ロック解除状態においては、灯体２２の開口部２２ａから操作部５４ｄが露出しているので、この操作部５４ｄを開口部２２ａに押し込むことにより、図２０（Ａ）に示すように、スライド板５７の基端部５７ｂをアーム２３と支持金具５６との間に挿入して（図１９（Ｂ）参照）、ロック状態とする。
【００６５】
一方、ロック状態においては、灯体２２の開口部２２ｂから操作部５４ｅが露出しているので、この操作部５４ｅを開口部２２ｂに押し込むことにより、図２０（Ｂ）に示すように、スライド板５７の先端部５７ｃをアーム２３と支持金具５６との間に挿入して（図１９（Ａ）参照）、ロックを解除する。
【００６６】
以上、説明した第４実施形態にかかる照明器具１０Ｄによれば、ロック部材５４が回動部３０Ｄ付近を直線移動するため、ロック部材５４の操作が照射方向に影響を与えにくい。また、ロックしていないときも、ロック部材５４の厚さが薄い先端部５７ｃがロック部に位置するため、ロック時にロック部材５４を移動させる際に、意図しない箇所にロック部材５４が挿入されるのを防止することができる。
【００６７】
次に、本発明の第５実施形態の照明器具を図に基づいて説明する。
図２２（Ａ）はロック解除状態におけるロック部材の厚さを示す正面図、２２（Ｂ）はロック状態におけるロック部材の厚さを示す正面図である。なお、前述した第１〜第４実施形態と共通する部位には同じ符号を付して、重複する説明を省略することとする。
【００６８】
図２２に示すように、本発明の第５実施形態にかかる照明器具１０Ｅでは、前述した第４実施形態にかかる照明器具１０Ｄにおいて、支持金具５６の軸受部５６ｃを剛体で形成し、支持金具５６とロック部材５４のスライド板５７との間に弾性部材としてスプリング５８を設けたものである。
【００６９】
従って、図２２（Ａ）に示すように、ロック解除状態では、支持金具５６にアーム２３の屈曲部２３ａおよびロック部材５４のスライド板５７を取付ける回動軸であるネジ５５は、アーム２３と支持金具５６の間に介装されているスライド板５７の板厚が薄い先端部５７ｃに位置している。このため、ロック部材５４の厚さＥは薄くなっており、スプリング５８は僅かに押し縮められた状態となっているので、アーム２３を自由に回動させることができ、かつ、所望の角度でアーム２３を仮に固定することができるようになっている。
【００７０】
一方、図２２（Ｂ）に示すように、ロック状態においては、回動軸であるネジ５５は、スライド板５７の板厚が厚い基端部５７ｂに位置している。このため、ロック部材５４の厚さＦは厚く（Ｅ<Ｆ）なっており、スプリング５８は大きく押し縮められた状態となっ
ているので、スプリング５８のバネ力により大きな摩擦力が発生し、アーム２３の支持金具５６に対する回動を規制してロックしている。
【００７１】
以上、説明した第５実施形態にかかる照明器具１０Ｅによれば、前述した第４実施形態にかかる照明器具１０Ｄと同様の作用・効果を得ることができる。さらに、弾性部材としてスプリング５８を用いたので、アーム２３と支持金具５６との間の摩擦力の大きさを容易に調整することができる。
【００７２】
なお、本発明の照明器具は、前述した各実施形態に限定されるものでなく、適宜な変形，改良等が可能である。
例えば、前述した各実施形態においては、灯体２２とアーム２３との間の回動部についてロック部を設けたが、灯体とアームを一体的に設け、アームとアームを支持する支持部との間にロック部を設けるようにすることも可能である。
【図面の簡単な説明】
【００７３】
【図１】（Ａ）は本発明の第１実施形態にかかる照明器具を前方から見た斜視図、（Ｂ）は同じく後方から見た斜視図
【図２】回動部及びロック部を示す斜視図
【図３】（Ａ）は支持金具の斜視図、（Ｂ）はロック部の斜視図
【図４】（Ａ）は非ロック時のロック部の正面図及び拡大図、（Ｂ）はロック時のロック部の正面図及び拡大図
【図５】（Ａ）は灯体を鉛直真下に向けて固定した状態を示す側面図、（Ｂ）は灯体を水平方向に向けて固定した状態を示す側面図
【図６】（Ａ）は第２実施形態にかかる照明器具における非ロック時の回動部を示す斜視図、（Ｂ）は同じくロック時の回動部を示す斜視図
【図７】第３実施形態にかかる照明器具を示す斜視図
【図８】（Ａ）はロック状態を示す斜視図、（Ｂ）はロック解除状態を示す斜視図
【図９】アームの先端部とロックレバーの形状を示す斜視図および正面図
【図１０】支持金具の正面図および斜視図
【図１１】ロック解除状態のロック部を示す分解斜視図および正面図
【図１２】ロック状態のロック部を示す分解斜視図および正面図
【図１３】回動部に凹凸を設けた場合を示す分解斜視図
【図１４】第４実施形態にかかる照明器具が下方を照射している状態を示す斜視図
【図１５】回動部およびロック部を示す斜視図
【図１６】（Ａ）はロック解除状態の回動部およびロック部を示す斜視図、（Ｂ）はロック状態の回動部およびロック部を示す斜視図
【図１７】支持金具の斜視図および正面図
【図１８】アームおよびロック部材の斜視図
【図１９】（Ａ）はロック解除状態を示す平面図および要部拡大図、（Ｂ）はロック状態を示す平面図および要部拡大図
【図２０】（Ａ）はロック動作を示す斜視図、（Ｂ）はロック解除動作を示す斜視図
【図２１】（Ａ）はロック解除状態におけるロック部材の厚さを示す正面図、（Ｂ）はロック状態におけるロック部材の厚さを示す正面図
【図２２】（Ａ）および（Ｂ）は第５実施形態を示す正面図
【図２３】従来の照明器具を示す側面図
【符号の説明】
【００７４】
１０  照明器具
２１  ランプ（光源）
２２  灯体
２３  アーム
２４  ライティングプラグ（支持部）
２５ｅ  凸部（凹凸部）
３０  回動部
３３ｃ  弾性部
４０  ロック部
４６  楔状部材
５１  支持金具（弾性部材）
５２  ロックレバー（ロック部材、操作部）
５３ｄ  凹部（凹凸部）
【図１】
2009257559.tif 000003
【図２】
2009257559.tif 000004
【図３】
2009257559.tif 000005
【図４】
2009257559.tif 000006
【図５】
2009257559.tif 000007
【図６】
2009257559.tif 000008
【図７】
2009257559.tif 000009
【図８】
2009257559.tif 000010
【図９】
2009257559.tif 000011
【図１０】
2009257559.tif 000012
【図１１】
2009257559.tif 000013
【図１２】
2009257559.tif 000014
【図１３】
2009257559.tif 000015
【図１４】
2009257559.tif 000016
【図１５】
2009257559.tif 000017
【図１６】
2009257559.tif 000018
【図１７】
2009257559.tif 000019
【図１８】
2009257559.tif 000020
【図１９】
2009257559.tif 000021
【図２０】
2009257559.tif 000022
【図２１】
2009257559.tif 000023
【図２２】
2009257559.tif 000024
【図２３】
2009257559.tif 000025